(57)【要約】【課題】展示商品のような照明付与対象物に対して照明をする際に、照明装置自体の装飾性を演出することができ、放熱性をも確保することができる照明装置を提供する。【解決手段】光源５と、光源５を搭載する回路基板１６と、回路基板１６を収納して、光源５が動作時に発生する熱を放出する収納ケース６と、光源５の出射光を前方に導くレンズ３と、収納ケース１６に固定され、レンズ３を内部に配置しており、光源５の出射光を反射して前方に導く光透過性の蒸着膜２０を有する透明のダイクロイックミラー４を備え、レンズ３の外面３Ｐとダイクロイックミラー４の内面４Ｎとの間に隙間２１が設けられており、光源５の出射光を、レンズ３には通さずに隙間２１を通過させて蒸着膜２０とダイクロイックミラー４に当てることでダイクロイックミラー４の外部へ漏れ光ＬＭとして導く漏れ光発生部３０が、設けられている。【選択図】図４
2014011138.tif 000002
【特許請求の範囲】
【請求項１】
光源と、
前記光源を搭載する回路基板と、
前記回路基板を収納して、前記光源が動作時に発生する熱を放出する収納ケースと、
前記光源の出射光を前方に導くレンズと、
前記収納ケースに固定され、前記レンズを内部に配置しており、前記光源の出射光を反射して前記前方に導く蒸着膜を有する透明のダイクロイックミラーと、
を備え、
前記レンズの外面と前記ダイクロイックミラーの内面との間に隙間が設けられており、前記光源の前記出射光を、前記レンズには通さずに前記隙間を通過させて前記蒸着膜と前記ダイクロイックミラーに当てることで前記ダイクロイックミラーの外部へ漏れ光として導く漏れ光発生部が、設けられていることを特徴とする照明装置。
【請求項２】
前記ダイクロイックミラーは、前記収納ケースに対して固定するための基部を有し、前記漏れ光発生部は、前記基部寄りの位置に設けられていることを特徴とする請求項１に記載の照明装置。
【請求項３】
前記レンズの前面部は、微細な凹凸面部を有していることを特徴とする請求項１または２に記載の照明装置。
【発明の詳細な説明】
【技術分野】
【０００１】
本発明は、発光ダイオード等の光源を備える照明装置に関する。
【背景技術】
【０００２】
例えば商業施設や住宅等に使用される照明装置が、提案されている。この種の照明装置の光源としては、発光ダイオード（ＬＥＤ：Light  Emitting  Diode）のような半導体発光素子を用いることで、省電力化と長寿命化とを図っている（特許文献１ないし６を参照)。
【０００３】
特許文献１に記載の照明装置では、発光ダイオード等の光源の出射光を、光学部品のレンズと反射鏡で集光して出射して、高い光利用率を維持しながら光源のパターンが照射像に現れることを防止し、ほぼ等方的で明るい照射像を得ている。
【０００４】
特許文献２に記載の照明装置では、光源の出射光をレンズの前面から、レンズの出射面の粗面に通すかあるいはレンズの出射面に設けた光拡散部材に通すことで、発光ムラを低減している。
【０００５】
特許文献３に記載の照明装置では、底部と側面部を有する筒状または椀状の放熱器を有し、放熱器の側面部には貫通孔である窓部が複数個設けられ、光源の出射光は、放熱器の複数個の窓部を通じて外部に漏らすようにしている。これにより、商業施設等ではこの漏れ光を用いて空間全体の「明るさ感」を演出することに利用している。
【０００６】
特許文献４に記載の照明装置では、底部と側面部を有する筒状または椀状の放熱器と、この放熱器内に設けられて光源の出射光を前面に反射するとともに出射光の一部を透過させる椀状の反射鏡を有し、放熱器の側面部には貫通孔である窓部が複数個設けられている。これにより、反射鏡を透過した光は、放熱器の複数個の窓部を通じて外部に漏らすことで、商業施設等ではこの漏れ光を空間全体の「明るさ感」を演出することに利用している。
【０００７】
特許文献５に記載の照明装置では、光源の出射光を正面側に集光するパラボラミラーと、このパラボラミラーを収容している筐体を有し、筐体には放熱用の複数のフィンが設けられている。しかも、筐体には、筐体の外部と内部を連通するスリットが、隣接するフィンの間に形成されている。これにより、パラボラミラーから漏れた光源の出射光は、筐体のスリットを通して、光源の横方向から斜め後方にかけて放出されることで、照射方向以外の方向からの視覚効果を狙っている。
【０００８】
特許文献６に記載の照明装置では、発光ダイオードから出射される直接光が、反射鏡の光出射開口から放射されないように、反射鏡内に遮光体を設けて、眩しさを感じさせないようにしている。
【先行技術文献】
【特許文献】
【０００９】
【特許文献１】特開２００７−２６６２４２号公報
【特許文献２】特開２００８−１３０５３２号公報
【特許文献３】特開２０１１−２３３５０３号公報
【特許文献４】特開２０１１−２２８２６５号公報
【特許文献５】特開２０１１−１４５０５号公報
【特許文献６】特開２００７−３１７４３１号公報
【発明の概要】
【発明が解決しようとする課題】
【００１０】
ところで、上述した特許文献１に記載の照明装置では、光源の出射光は、レンズと反射鏡で集光してレンズと反射鏡の前面から出射するだけである。このため、この照明装置は、例えば商業施設において、展示商品のような照明付与対象物に対して単純にスポット的に照明するだけであるので、照明装置の前面以外の部分から光を出して照明装置自体の装飾性を演出することはできない。しかも、光源が発生する熱を外部に放出することが難しい。
【００１１】
特許文献２に記載の照明装置では、光源の出射光の発光ムラを低減しているだけである。このため、この照明装置は、例えば商業施設において、展示商品のような照明付与対象物に対して単純にスポット的に照明するだけであるので、照明装置の前面以外の部分から光を出して照明装置自体の装飾性を演出することはできない。しかも、光源が発生する熱を外部に放出することが難しい。
【００１２】
特許文献３に記載の照明装置では、光源の出射光は放熱器の複数個の窓部を通じて外部に漏らすことで、商業施設等で漏れ光を空間全体の「明るさ感」を演出してはいるが、光源の出射光が、複数個の窓部を通じて放熱器の外部に直接漏れてしまう構造である。このため、光源の前方に向けて必要な明るさを確保するためには、放熱器に複数の窓部が無い照明装置に比べて、光源の出力を大きくしなければならず、消費電力が大きくなってしまう。しかも、窓部は、透光性部材で覆っているで、光源が発生する熱を外部に放出することが難しい。
【００１３】
特許文献４に記載の照明装置では、光源の出射光は、反射鏡を通過し、反射鏡を通過した光は、放熱器の複数個の窓部を通じて放熱器の外部に漏らすことで、商業施設等で漏れ光を空間全体の「明るさ感」を演出している。このため、放熱器の内部に反射鏡を配置しているので、照明装置の構造が複雑であり、光源の前方に向けて必要な明るさを確保するためには、放熱器に複数の窓部が無い照明装置に比べて、光源の出力を大きくしなければならず、消費電力が大きくなってしまう。しかも、窓部は、透光性部材で覆っているで、光源が発生する熱を外部に放出することが難しい。
【００１４】
特許文献５に記載の照明装置では、複数のフィンが必要なので構造が複雑であり、光は隣接のフィンの間のスリットからしか外部にリークすることができないので、例えば商業施設や住宅等において、展示商品に対して照明をする装飾用の照明装置として積極的に用いるのには向いていない。
【００１５】
特許文献６に記載の照明装置では、発光ダイオードから出射される直接光が、反射鏡の光出射開口から放射されないようにしているだけであり、展示商品に対して照明をする際に、照明装置自体の装飾性が演出できず、光源が発生する熱を外部に放出することが難しい。
【００１６】
照明装置が、例えば商業施設や住宅等において、展示商品のような照明付与対象物に対して照明をする際に、放熱性を確保しつつ、照明装置自体の装飾性をも積極的に演出できることが要望されている。
【００１７】
本発明は、上記に鑑みてなされたもので、その目的とするところは、展示商品のような照明付与対象物に対して照明をする際に、照明装置自体の装飾性を演出することができ、放熱性をも確保することができる照明装置を提供することにある。
【課題を解決するための手段】
【００１８】
上記課題を達成するため、請求項１に記載の照明装置は、光源と、前記光源を搭載する回路基板と、前記回路基板を収納して、前記光源が動作時に発生する熱を放出する収納ケースと、前記光源の出射光を前方に導くレンズと、前記収納ケースに固定され、前記レンズを内部に配置しており、前記光源の出射光を反射して前記前方に導く光透過性の蒸着膜を有する透明のダイクロイックミラーと、を備え、前記レンズの外面と前記ダイクロイックミラーの内面との間に隙間が設けられており、前記光源の前記出射光を、前記レンズには通さずに前記隙間を通過させて前記蒸着膜と前記ダイクロイックミラーに当てることで前記ダイクロイックミラーの外部へ漏れ光として導く漏れ光発生部が、設けられていることを特徴とする。
【００１９】
請求項１に記載の照明装置では、漏れ光発生部から照明装置の外部に漏れ光を出すことができるので、展示商品のような照明付与対象物に対して照明をする際に、照明装置の美的な外観を高めて照明装置自体の装飾性を演出することができ、光源が発生する熱は、収納ケースを通じて放出できるので、放熱性をも確保することができる。
【００２０】
請求項２に記載の照明装置は、前記ダイクロイックミラーは、前記収納ケースに対して固定するための基部を有し、前記漏れ光発生部は、前記基部寄りの位置に設けられていることを特徴とする。
【００２１】
請求項２に記載の照明装置では、光源の出射光を出すレンズの前面部からは離れた基部寄りの位置の漏れ光発生部から照明装置の外部に漏れ光を出すことができるので、展示商品のような照明付与対象物に対して照明をする際に、照明装置の美的な外観を高めて照明装置自体の装飾性を演出することができる。
【００２２】
請求項３に記載の照明装置は、前記レンズの前面部は、微細な凹凸面部を有していることを特徴とする。
【００２３】
請求項３に記載の照明装置では、光源の出射光がレンズの前面部を通じて前方に照射される際に、前面部の凹凸面部により拡散されるので、光源の出射光がそのままレンズの前面部から前方に出射されてしまうのを防ぎ、照明装置の美的な外観を高めて照明装置自体の装飾性を演出することができる。
【発明の効果】
【００２４】
本発明によれば、展示商品のような照明付与対象物に対して照明をする際に、照明装置自体の装飾性を演出することができ、放熱性をも確保することができる照明装置を提供できる。
【図面の簡単な説明】
【００２５】
【図１】本発明の照明装置の好ましい実施形態を示す分解斜視図である。
【図２】図１に示す照明装置を示す側面図である。
【図３】照明装置からレンズを取り除いた状態で、図１に示す矢印Ｓから見た内部構造例を示す正面図である。
【図４】図２に示す照明装置のＡ−Ａ線における内部構造を示す断面図である。
【図５】図５は、図４に示す照明装置のＢ−Ｂ線における拡大図である。
【図６】光源からの出射光ＬＬが、レンズと、蒸着膜付きのダイクロイックミラーにより導かれ、しかも漏れ光が発生する例を示す図である。
【図７】照明装置のダイクロイックミラーの円筒状の基部の付近の部分から漏れ光が漏れていることを示している模式図である。
【図８】本発明の実施形態の照明装置の蒸着膜付きのダイクロイックミラー４で得られる光度と、比較例（１）から比較例（３）の照明装置で得られる光度を比較して示す図である。
【発明を実施するための形態】
【００２６】
以下に、図面を参照して本発明の実施形態を説明する。
【００２７】
図１は、本発明の照明装置の好ましい実施形態を示す分解斜視図である。図２は、図１に示す照明装置を示す側面図である。図３は、照明装置からレンズを取り除いた状態で、図１に示す矢印Ｓから見た内部構造例を示す正面図である。図４は、図２に示す照明装置のＡ−Ａ線における内部構造を示す断面図である。図５は、図４に示す照明装置のＢ−Ｂ線における拡大図である。
【００２８】
図１と図２に示す照明装置１は、例えば商業施設や住宅等において、展示商品のような照明付与対象物に対して照明をするのに用いられる。照明装置１は、展示商品のような照明付与対象物に対して照明をする際に、照明装置自体の装飾性を演出することができ、照明を行っている際に生じる光源の熱を放出する放熱性をも確保する。照明付与対象物の例としては、宝石、時計、彫刻、生け花等ではあるが、照明付与対象物の種類は特に限定されない。
【００２９】
図１と図３に示すように、照明装置１は、収納ケース２と、レンズ３と、ダイクロイックミラー４と、光源５と、回路基板１６を有している。収納ケース２は、非透光性と、放熱性を有し、耐熱性と電気絶縁性を有する熱伝導性の良好な材料で作られており、好ましくはセラミックスにより作られている。セラミックスとしては、例えばアルミナ、窒化アルミニウム等であるが、特に限定されない。
【００３０】
まず、図２と図４を参照して、収納ケース２の構造を説明する。
【００３１】
図２と図４に示すように、この収納ケース２は、円筒部６と円筒状の突出部７を有している。収納ケース２の円筒部６の外形寸法は、収納ケース２の突出部７の外形寸法に比べて大きい。円筒部６は、第１筒部８と第１傾斜部９と第２筒部１０と第２傾斜部１１を有している。
【００３２】
第１筒部８の外形寸法は第２筒部１０の外形寸法に比べて大きい。突出部７は、筒部１２と先細り部分１３を有している。突出部７の筒部１２は、第２傾斜部１１から照明装置１の中心軸ＣＬに沿って突出して形成されている。図４に示すように、突出部７の筒部１２の外周部には、金属製のシェル１４が設けられ、突出部７の先細り部分１３に先端には、金属製のアイレット１５が設けられている。このシェル１４とアイレット１５は、回路基板１６に対する図示していない円筒部６内の第２円筒部１０に収容された電源回路を介しての給電端子として、電気配線を介して回路基板１６に電気的に接続されている。この回路基板１６は、円筒部６の第１筒部８の内部に設けられた保持部１７に、電源回路は第２円筒部１０に回路基板１６及び電源回路から発生する熱が円筒部６を介して放熱可能に固定されている。保持部１７の取付け基部１７Ｂは、第２筒部１０の内部に固定されており、保持部１７は第１傾斜部９から第１筒部８に向けて突出している。回路基板１６上には、光源５が実装されている。この回路基板１６と光源５については、後で説明する。
【００３３】
次に、図１と図４を参照してレンズ３について説明する。
【００３４】
図１と図４に示すように、レンズ３は、透明の好ましくはプラスチック製の光学部品であり、全体がほぼ椀型であり、中心軸ＣＬに関して対称形状である。このレンズ３は、ダイクロイックミラー４の中に収納される大きさを有しており、前面部３Ｆが平坦面であり、後部分３Ｇは、山形の突出部である。前面部３Ｆは、光源５からの出射光を前方に向けて出射させる面であるが、この前面部３Ｆはレンズ３を形成する際に微細な凹凸面部に形成している。このように前面部３Ｆは微細な凹凸面部に形成することで、光源５からの出射光がそのまま出るのを低減して、効率良く拡散することができる。これにより、照明装置１が、展示商品のような照明付与対象物に対して照明をする際に、照明装置１自体の装飾性を向上することができる。
【００３５】
図４に示すように、レンズ３の後部分３Ｇには、中心軸ＣＬを中心として凹部１８が設けられている。後部分３Ｇの内底部には、凸レンズ部分１９が中心軸ＣＬに沿って形成されている。この凸レンズ部分１９は、凸状の非球面形状、好ましくは放物面を有している。
【００３６】
次に、図４と図５を参照して、ダイクロイックミラー４について説明する。
【００３７】
図４と図５に示すダイクロイックミラー４は、例えば酸化珪素（ＳｉＯ２）により椀状もしくはラッパ状に形成されている透明な部材である。ダイクロイックミラー４は、円筒状の基部４Ｂと、この基部４Ｂに連続して形成されている椀状の本体部４Ｃを有している。この基部４Ｂの外周部分は、円筒部６の第１筒部８の内周部分にはめ込むかもしくはねじ込むことで固定されている。
【００３８】
図５に示すように、蒸着膜２０は、ダイクロイックミラー４の本体部４Ｃの内面４Ｎの前端部４Ｆから本体部４Ｃの内面の後端部４Ｒに至るまで、連続してコーティングされている。この蒸着膜２０は、例えば白色光を９５％以上反射する性質を有しているが、白色波長外の赤外領域の光の一部は透過する。この蒸着膜２０の材質は、白色光を反射する好ましくは硫化亜鉛（ＺｎＳ）である。蒸着膜２０が内面にコーティングされたダイクロイックミラー４を、以下では、蒸着膜付きのダイクロイックミラー４と呼ぶことにする。
【００３９】
図４と図５に示すように、レンズ３の前面部３Ｆの縁部分３Ｈは、ダイクロイックミラー４のフランジ部分４Ｈ内にはめ込んだ状態で、例えば接着により固定されていることで、レンズ３は、ダイクロイックミラー４の内部に収容した状態で保持されている。ただし、レンズ３の曲面の外面３Ｐは、ダイクロイックミラー４の曲面の内面４Ｎの蒸着膜２０には密着していないで浮かせてある。このため、レンズ３の外面３Ｐは、ダイクロイックミラー４の内面４Ｎの蒸着膜２０との間には、隙間２１が形成されている。この隙間２１の幅は、本体部４Ｃの内面の前端部４Ｆから本体部４Ｃの内面の後端部４Ｒに至るに従って、少しずつ広がっている。
【００４０】
次に、図４を参照して、光源５について説明する。
【００４１】
図４に示すように、光源５は、回路基板１６に搭載されており、中心軸ＣＬに沿って配置されている。光源５は、好ましくは発光ダイオードチップやレーザダイオードチップを使用できるが、本発明の実施形態では、好ましくは青色を発光する発光ダイオードチップを使用している。光源５は、回路基板１６に搭載されて、回路基板１６の配線に接続された状態で、封止樹脂２２により封止されている。光源５と回路基板１６と封止樹脂２２は、発光装置を構成している。回路基板１６は、すでに説明した図４に示すシェル１４とアイレット１５を通じて供給される商用交流電源（ＡＣ１００Ｖ）を、光源５の駆動用の直流電圧に変換して、光源５に流れる駆動電流が予め定めた電流値となるように定電流制御する。
【００４２】
図４に示す封止樹脂２２としては、光透過性を有するシリコーン樹脂やエポキシ樹脂等であり、黄色の蛍光体粒子を分散して混入させてある。例えば、光源５は、いわゆる青色発光ダイオードであり、この光源５の出射光は、封止樹脂２２を通ることで波長変換されて、白色の出射光を得ることができる。
【００４３】
図４に示すように、回路基板１６が、円筒部６の内部に設けられた保持部１７に固定されている。これにより、回路基板１６に通電して光源５が発光動作すると、光源５と回路基板１６は熱を生じるが、この発生する熱は、保持部１７からセラミックス製の円筒部６を経て、円筒部６の外部に放出することができる。これにより、光源５と回路基板１６の熱は、複数のフィンを設けなくても、効率的に放出することができ、構造の簡単化が図れる。
【００４４】
次に、図６を参照して、光源５からの出射光ＬＬがレンズ３と蒸着膜付きのダイクロイックミラー４により導かれる様子と、漏れ光ＬＬが発生する例について説明する。
【００４５】
図６は、光源５からの出射光ＬＬが、レンズ３と、蒸着膜付きのダイクロイックミラー４により導かれる様子と、漏れ光ＬＬが発生する例を示している。ただし、図６では、図面の簡単化のために、レンズ３と蒸着膜付きのダイクロイックミラー４の中心線ＣＬから右側だけを図示し、左側はその図示を省略している。
【００４６】
図６を参照すると、すでに説明したように、回路基板１６は光源５を搭載しており、光源５を封止樹脂２２で封止しているが、回路基板１６の光源５は、中心線ＣＬ上に配置されている。この回路基板１６は、蒸着膜付きのダイクロイックミラー４の基部４Ｂの貫通孔４Ｗにおいて、中心軸ＣＬに対して直交する方向に配置されている。しかも、光源５と封止樹脂２２は、レンズ３の後部分３Ｇの凹部１８内には入っておらず、凹部１８から離れ、光源５と封止樹脂２２は、レンズ３の凹部１８の凸レンズ部分１９から離れた位置で対面している。
【００４７】
図６において、光源５の出射光は、封止樹脂２２を通ることで波長変換されて、白色の出射光ＬＬとなる。
【００４８】
この白色の出射光ＬＬの一部は、レンズ３の後部分３Ｇの凹部１８内を通過して、凸レンズ部分１９で集光され、レンズ３の前面部３Ｆの微細な凹凸面部で拡散された後に外部に出射される。このため、光源５からの出射光ＬＬが、そのままレンズ３の前面部３Ｆから前方に出射されるのでは無く、前面部３Ｆで拡散された白色の照明光ＬＲをレンズ３の外部に照射することができる。これにより、照明装置１が、展示商品のような照明付与対象物に対して照明をする際には、拡散された照明光ＬＲが照明付与対象物に照らされるので、照明装置１からの照明光を柔らかくでき、照明装置１自体の装飾性を向上することができる。
【００４９】
また、図６において、白色の出射光ＬＬの別の一部は、レンズ３の後部分３Ｇの凹部１８を形成する側面部１８Ｂに入射してレンズ３の後部分３Ｇ中を通り、白色の出射光ＬＬの一部が、レンズ３の曲面部分３Ｋ（レンズ３の外面３）で反射して、レンズ３の前面部３Ｆの微細な凹凸面部を通ることで拡散される。このため、光源５からの出射光ＬＬが、そのままレンズ３から前方に出るのでは無く、拡散された白色の照明光ＬＳとしてレンズ３の外部に照射する。これにより、照明装置１が、展示商品のような照明付与対象物に対して照明をする際には、拡散された照明光ＬＳが照明付与対象物に照らされるので、照明装置１からの照明光を柔らかくでき、照明装置１自体の装飾性を向上することができる。しかも、白色の出射光ＬＬの残りの一部が、破線で示すようにレンズ３の後部分３Ｇ中を通り曲面部分３Ｋ（レンズ３の外面３）を通過して、蒸着膜付きのダイクロイックミラー４の蒸着膜２０で反射された後、再びレンズ３の中に入って、レンズ３の前面部３Ｆの微細な凹凸面部を通ることで拡散される。このため、光源５からの出射光ＬＬが、そのままレンズ３から前方に出るのでは無く、拡散された白色の照明光ＬＴとしてレンズ３の外部に照射する。
【００５０】
これに対して、白色の出射光ＬＬのさらに別の一部は、レンズ３のいずれの部分にも通らずに、隙間２１だけを通過する。この隙間２１を通過したこの白色の出射光ＬＬのさらに別の一部が、蒸着膜付きのダイクロイックミラー４の蒸着膜２０において直接反射し、レンズ３の曲面部分３Ｋ（レンズ３の外面３）に入射して、レンズ３の前面部３Ｆより、照明光ＬＷとして出射される。
【００５１】
しかし、この隙間２１だけを通過した白色の出射光ＬＬの残部の一部は、蒸着膜付きのダイクロイックミラー４の蒸着膜２０と蒸着膜付きのダイクロイックミラー４をさらに残部の一部の更に一部が透過して、装飾用の視認可能な光ＬＭとして、蒸着膜付きのダイクロイックミラー４の円筒状の基部４Ｂの付近の部分４Ｓから外側に漏れる。この蒸着膜付きのダイクロイックミラー４の円筒状の基部４Ｂの付近の部分４Ｓは、光源５の出射光を出すレンズ３の前面部３Ｆからは離れた位置である。このように、蒸着膜付きのダイクロイックミラー４基部４Ｂの付近の部分は、光源５の出射光ＬＬを、隙間２１に通過させて、蒸着膜付きのダイクロイックミラー４の蒸着膜２０に対して直接当てて蒸着膜付きのダイクロイックミラー４の外部へ、視認可能な光ＬＭとして導くための漏れ光発生部３０となっている。この漏れ光発生部３０は、中心軸ＣＬを中心にして円周方向に沿って形成されている。従って、蒸着膜付きのダイクロイックミラー４の内部にレンズ３を収納することで配置する簡単な構成でありながら、漏れ光発生部３０から漏れ光ＬＭを、積極的に照明装置１の外部に漏らして（リークして）形成できるので、照明装置１自体の装飾性を向上することができる。このリークを形成できるのはダイクロイックミラー４の蒸着膜が波長選択性の光透過性があること、この蒸着面への光の入射角が小さくなる事などがこのような効果を発生すると考えている。すなわち、大部分の光は漏れることなく出射光ＬＬとして取り出されていることを説明している。
【００５２】
また、図６において、レンズ３中を通る光が、レンズ３の前面部３Ｆの縁部分３Ｈとダイクロイックミラー４のフランジ部分４Ｈの部分から、外部に漏れ光を発生することができる。つまり、レンズ３の前面部３Ｆの縁部分３Ｈとダイクロイックミラー４のフランジ部分４Ｈの部分は、外部に漏れ光を形成できる漏れ光形成部４０である。これにより、照明装置１が、例えば商業施設や住宅等において、宝石や時計等の展示商品である照明付与対象物に対して照明をする際には、漏れ光形成部４０から中心軸ＣＬを中心に側方へ漏れる漏れ光により、照明装置１自体の装飾性も積極的に演出できる。この漏れ光形成部４０は、中心軸ＣＬを中心にして円周方向に沿って形成されている。
【００５３】
図７は、図６に示す蒸着膜付きのダイクロイックミラー４の円筒状の基部４Ｂの付近にある漏れ光発生部３０から漏れ光ＬＭが漏れていることを示している模式図である。これにより、図６に示す蒸着膜付きのダイクロイックミラー４の外部には、レンズ３の前面部３Fから離れた位置において漏れ光ＬＭが照射できるので、照明装置１が、例えば商業施設や住宅等において、宝石や時計等の展示商品である照明付与対象物に対して照明をする際には、漏れ光ＬＭにより、照明装置１自体の装飾性も積極的に演出できる。さらに、図７では、図６の漏れ光形成部４０から漏れる漏れ光により、照明装置１自体の装飾性をさらに積極的に演出している。
【００５４】
図８は、本発明の実施形態の照明装置１の蒸着膜付きのダイクロイックミラー４で得られる光度と、比較例（１）の照明装置から比較例（３）の照明装置で得られる光度を比較して示している。
【００５５】
図８（Ａ）は、本発明の実施形態の照明装置１の蒸着膜付きのダイクロイックミラー４で得られる中心光度を示している。これに対して、図８（Ｂ）は、比較例（１）の照明装置で得られる中心光度を示し、図８（Ｃ）は、比較例（２）の照明装置で得られる中心光度を示し、図８（Ｄ）は、比較例（３）の照明装置で得られる中心光度を示している。図８（Ｂ）の比較例（１）の照明装置では、ダイクロイックミラーには蒸着膜は無く、しかもレンズも配置されていない。図８（Ｃ）の比較例（２）の照明装置では、ダイクロイックミラーには蒸着膜が有るが、レンズは配置されていない。図８（Ｄ）の比較例（３）の照明装置では、ダイクロイックミラーには蒸着膜は無いが、レンズは配置されている。
【００５６】
図８（Ａ）に示す本発明の実施形態の照明装置１の蒸着膜付きのダイクロイックミラー４で得られる中心光度は、７８０．４８ｃｄである。これに対して、図８（Ｂ）に示す比較例（１）の照明装置で得られる中心光度は、８３．７４ｃｄであり、図８（Ｃ）に示す比較例（２）の照明装置で得られる中心光度は、２９９．８４ｃｄであり、図８（Ｄ）に示す比較例（３）の照明装置で得られる中心光度は、７０８．３２ｃｄである。
【００５７】
図８（Ａ）に示す本発明の実施形態の照明装置１では、図４に示すように蒸着膜付きのダイクロイックミラー４を採用し、しかも蒸着膜付きのダイクロイックミラー４内にはレンズ３が配置されているので、得られる光度が最も高いことから、蒸着膜付きのダイクロイックミラー４とレンズ３の双方の効果が有効になっている。
【００５８】
図８（Ｂ）に示す比較例（１）の蒸着膜無しのダイクロイックミラーを用いるが、レンズが無い場合の中心光度を「１」とすると、図８（Ｃ）に示す比較例（２）の蒸着膜付きのダイクロイックミラーを用いるが、レンズが無い場合の中心光度は、２９９．８４ｃｄ/８３．７４ｃｄ＝約３．５８倍となり、図８（Ｄ）に示す比較例（３）の蒸着膜無しのダイクロイックミラーを用いるが、レンズは有る場合の中心光度は、７０８．３２ｃｄ/８３．７４ｃｄ＝約８．４６倍となる。
【００５９】
これに対して、図８（Ａ）に示す本発明の実施形態の照明装置１の蒸着膜付きのダイクロイックミラー４とレンズ３で得られる中心光度は、図８（Ｂ）に示す比較例（１）の蒸着膜無しのダイクロイックミラーを用いるが、レンズが無い場合の中心光度に対して、７８０．４８ｃｄ/８３．７４ｃｄ＝約９．３２倍となる。すなわち、図８（Ａ）に示す本発明の実施形態の照明装置１の蒸着膜付きのダイクロイックミラー４とレンズ３で得られる中心光度は、図８（Ｄ）に示す比較例（３）の蒸着膜無しのダイクロイックミラーを用いるがレンズは有る場合の中心光度に比べて、７８０．４８ｃｄ/７０８．３２ｃｄ＝約１．１０倍にもなる。
【００６０】
以上の結果から、同じ中心光度の照明装置を開発しようとする場合に、図８（Ａ）に示す本発明の実施形態の照明装置１の蒸着膜付きのダイクロイックミラー４にレンズ３を取り付けることは、比較例（Ｂ）の蒸着膜無しのダイクロイックミラーだけを用いる場合、比較例（Ｃ）の蒸着膜付きのダイクロイックミラーだけを用いる場合、そして比較例（Ｄ）の蒸着膜無しのダイクロイックミラーとレンズを用いる場合に比べて、図４に示す光源５の出力を小さくすることができる。このため、光源５と回路基板１６の省電力設計が可能であり、光源５と回路基板１６と封止樹脂１１の形状寸法を小さくすることができる。したがって、照明装置１の小型化を促進でき、光源５と回路基板１６から発生する熱を少なくすることができるので、光源５と回路基板１６から発生する熱は、収納ケース２の円筒部６の寸法を小さくしても放出できることになる。
【００６１】
例えば、本発明の実施形態の照明装置１における省電力例としては、図８（Ｄ）の比較例（３）の照明装置を用いて、本発明の実施形態の照明装置１の中心光度７８０．４８ｃｄと同じ中心光度を実現しようとすると、図８（Ｄ）の比較例（３）の照明装置では電圧が１０２．５Ｖ（３．４７Ｗ）となる。しかし、本発明の実施形態の照明装置１が中心光度７８０．４８ｃｄを発揮する際の電圧は１００Ｖ（２．９１Ｗ）である。このことから、本発明の実施形態の照明装置１と、図８（Ｄ）の比較例（３）の照明装置とを比較すると、２．９１Ｗ/３．４７Ｗ＝約０．８４まで減少させることができるので、本発明の実施形態の照明装置１は、図８（Ｄ）の比較例（３）の照明装置に比べて、約１６パーセントの省電力化が図れる。
【００６２】
本発明の実施形態の照明装置１は、光源５と、光源５を搭載する回路基板１６と、回路基板１６を収納して、光源５が動作時に発生する熱を放出する収納ケース６と、光源５の出射光を前方に導くレンズ３と、収納ケース１６に固定され、レンズ３を内部に配置しており、光源５の出射光を反射して前方に導く光透過性の蒸着膜２０を有する透明のダイクロイックミラー４を備え、レンズ３の外面３Ｐとダイクロイックミラー４の内面４Ｎとの間に隙間２１が設けられており、光源５の出射光を、レンズ３には通さずに隙間２１を通過させて蒸着膜２０とダイクロイックミラー４に当てることでダイクロイックミラー４の外部へ漏れ光ＬＭとして導く漏れ光発生部３０が、設けられている。
【００６３】
これにより、漏れ光発生部３０から照明装置１の外部に漏れ光ＬＭを出すことができるので、展示商品のような照明付与対象物に対して照明をする際に、照明装置１の美的な外観を高めて照明装置１自体の装飾性を演出することができ、光源５が発生する熱は、収納ケース６を通じて放出できるので、放熱性をも確保することができる。
【００６４】
照明装置１のダイクロイックミラー４は、収納ケース６に対して固定するための基部４Ｂを有し、漏れ光発生部３０は、基部４Ｂ寄りの位置に設けられている。これにより、光源５の出射光を出すレンズ３の前面部３Ｆからは離れた基部４Ｂ寄りの位置の漏れ光発生部３０から、照明装置１の外部に漏れ光ＬＭを積極的に出すことができるので、展示商品のような照明付与対象物に対して照明をする際に、照明装置１の美的な外観を高めて照明装置１自体の装飾性を演出することができる。
【００６５】
照明装置１のレンズ３の前面部３Ｆは、微細な凹凸面部を有している。これにより、光源５の出射光がレンズ３の前面部３Ｆを通じて前方に照射される際に、前面部３Ｆの凹凸面部により拡散されるので、光源５の出射光がそのままレンズ３の前面部３Ｆから前方に出射されてしまうのを防ぎ、照明装置１の美的な外観を高めて照明装置１自体の装飾性を演出することができる。
【００６６】
以上、本発明は、実施形態を挙げて説明したが、本発明の各実施形態は一例であり、特許請求の範囲に記載される発明の範囲は、発明の要旨を逸脱しない範囲内で種々変更できるものである。
【００６７】
例えば、上述した本発明の各実施形態では、１つの光源を回路基板に搭載して使用しているが、複数の光源を回路基板に搭載しても良い。
【符号の説明】
【００６８】
１      照明装置
２      収納ケース
３      レンズ
３Ｆ    レンズの前面部
４      蒸着膜付きのダイクロイックミラー
４Ｇ    ダイクロイックミラーの基部
５      光源
６      円筒部
７      円筒状の突出部
１６    回路基板
２０    蒸着膜付きのダイクロイックミラーの蒸着膜
２１    隙間
２２    封止樹脂
３０    漏れ光発生部
４０    漏れ光形成部
ＬＭ    漏れ光
【図１】
2014011138.tif 000003
【図２】
2014011138.tif 000004
【図３】
2014011138.tif 000005
【図４】
2014011138.tif 000006
【図５】
2014011138.tif 000007
【図６】
2014011138.tif 000008
【図７】
2014011138.tif 000009
【図８】
2014011138.tif 000010